(57)【要約】      （修正有）【課題】洗濯物を干す作業と取り入れる作業が、より容易になる洗濯物干し具を提供する。【解決手段】円形、四角形などの輪状に形成され、かつ吊り具１１にて水平に吊り下げられる輪状基体と、この輪状基体の外周側面に係止具にて装着されると共に、その全周の任意の位置に複数の洗濯物を吊り下げる弾性紐とでなしたことを特徴とする。【選択図】図１
0003122100.tif 000002
【実用新案登録請求の範囲】
【請求項１】
円形、四角形などの輪状に形成され、かつ吊り具にて水平に吊り下げられる輪状基体と、この輪状基体の外周側面に係止具にて装着されると共に、その全周の任意の位置に複数の洗濯物を吊り下げる弾性紐とでなしたことを特徴とする洗濯物干し具。
【請求項２】
前記弾性紐の両端にストッパーを設けたことを特徴とする、請求項１記載の洗濯物干し具。
【請求項３】
前記輪状基体における外周側面に凹凸を設けたことを特徴とする、請求項１または２記載の洗濯物干し具。
【考案の詳細な説明】
【技術分野】
【０００１】
本考案は、洗濯物干し具に関するものである。
【背景技術】
【０００２】
従来の洗濯物干し具は、物干し竿や物干しロープなど、その他複数のワイヤーハンガーで成形されたものや、様々な構造をした洗濯物干し具が市販されている。
そのうちでも、大小さまざまな円形や長方形の枠組で構成されていて、その周囲には多数の吊り下げピンチを備えてあるものが主流である。
その多くは一つの洗濯物干し具に対して、吊り下げピンチを多いものでは４０から５０個近くも使用されており、洗濯物を干したり、取り外したりするためには、吊り下げピンチを一個ずつ指で咬持部を開閉するといった、煩わしい動作を繰り返さなくてはならず、時間を要する作業である。
【０００３】
また、文献１が存在する。
文献１においては、ピンチを使用しないで、物干し竿とゴム紐によって洗濯物を挟むことによって、洗濯物を干す器具である。
しかしこの器具は、物干し竿に固定し、棒状の物干し竿とゴム紐の間に洗濯物を挟むので、洗濯物を挟んでいくと物干し竿とゴム紐の間に隙間が生じやすく、前に挟んだ洗濯物が抜けてしまうことが起こりうる。
さらに、物干し竿を洗濯物干し具の一部としているので、物干し竿が使用できない室内や、屋外の狭いところでは使用できない欠点がある。
【０００４】
また、文献２、３が存在する。
文献２，３共に弾性を有する板状の挟持部によって洗濯物を挟む洗濯物干し具である。いずれの干し具でも、いくつか設けられた挟持部のみに洗濯物を干せるのであって、任意の位置に干すことはできない。
【特許文献１】実用新案登録第３０１８１８７号
【特許文献２】特開平２０００−１０７４８７号
【特許文献３】実開平７−３３２８９号
【考案の開示】
【考案が解決しようとする課題】
【０００５】
市場では色々な種類の洗濯物干し具が流通しているが、従来のハンガー式方形枠組本体に吊り下げピンチを設ける構造のものが最も多く市販されており、したがってどんなに手間と時間が掛かるとはいえ、不便であると思いながらも使用されているのが実状である。
さらに、ピンチを使わずに洗濯物を固定する器具についても、能率よく確実に多くの洗濯物を固定することができるものはなかった。
【０００６】
本考案は前記課題を解決する為に、吊り下げピンチを一切必要としない構造にして、簡単な操作にて手間と時間を短縮し、迅速かつ確実に洗濯物を干し、かつ取り込むことを目的とした洗濯物干し具であることと、吊り下げピンチに使用されている金属の腐食による不具合が生じることも少ないものを提供するものである。
【課題を解決するための手段】
【０００７】
上記目的を達成するために、請求項１記載の考案は、円形、四角形などの輪状に形成され、かつ吊り具１１にて水平に吊り下げられる輪状基体１と、この輪状基体１の外周側面８に係止具１０にて装着されると共に、その全周の任意の位置に複数の洗濯物２０を吊り下げる弾性紐２よりなることを特徴とする。
また、請求項２記載の考案は、請求項１記載の考案の構成に加えて、弾性紐２の両端にストッパー３を設けたことを特徴とする。
また、請求項３記載の考案は、請求項１および2記載の考案の構成に加えて、輪状基体１の外周側面８に凹凸を設けたことを特徴とする。
【考案の効果】
【０００８】
（１）請求項１により、本考案を使用すれば、ピンチを使わずに容易に短時間で、多くの洗濯物を干すことができる。また、洗濯物を取り込むときは、洗濯物を引っ張るだけで輪状基体１の外周側面８と弾性紐２の間から抜けるので、短時間に取り込むことができる。さらに、複数の洗濯物を同時に引っ張ることによって、一度に取り込むこともできる。
【０００９】
また、特に輪状基体１の形状が円形に形成されている場合であれば、弾性紐２は常に輪状基体１の外周側面８に押し付けられている。したがって、輪状基体１と弾性紐２の間に隙間が生ずることはなく、一度固定した洗濯物が抜けて外れるようなことは起こらないので、確実に洗濯物を固定することができる。
【００１０】
さらに本考案は、物干し竿を使用する必要はなく、従来のピンチによって吊り下げる形の洗濯物干し具と同程度の大きさの輪状であるので、室内でも使用できる。また、屋外でも吊り下げることができさえすれば、狭い場所であっても使用できる。
【００１１】
さらに、輪状基体１が複数の部分からなり、各部分に弾性紐２を設け、配列を工夫すれば、コンパクトな干し具で多くの洗濯物を干すことができる。
【００１２】
（２）請求項２により、ストッパー３を設けけることによって、弾性紐２の両端を係止具１０に確実に固定することができる。
【００１３】
（３）請求項３により、輪状基体１の外周側面８に適当な間隔で凹凸を設ければ、洗濯物を干すときに、弾性紐２を指で持ち上げやすくなり、凹凸の凸部２２と弾性紐２の間に洗濯物を容易に挟むことができ、作業能率が向上する。
【考案を実施するための最良の形態】
【００１４】
次に実施例によって考案実施の態様を図面に従い説明するが、例示は単に説明用のもの
であって、考案思想の限定あるいは制限を意味するものではない。
図１から図５は本考案の第１の実施の形態を例示したものである。
図３は、本考案における弾性紐２の斜視図である。弾性紐２としてゴム紐を例示している。両端にはストッパー３を設けている。このストッパー３は、両端を輪状基体１に係止
するために設けたものであって、図３に例示したものは、ゴム紐の端部に針金を巻き付け、ゴム紐を圧迫するとともに固定する手段によって、ゴム紐よりも太い部分をゴム紐の両端部に設けたものであるが、その他の構造も考えられる。
【００１５】
なお、ストッパー３を用いずに、ゴム紐の端部に結び目を作り、ストッパー３の代わりとしてもよい。また、ゴム紐については、表面に滑り止めの凹凸があれば好ましく、さらに、ゴム紐の素材については、耐候性を有することが望ましい。
さらに、弾性紐２の例としては、ゴム紐の他にも、スプリングなども考えられる。スプリングの場合は、錆の防止のために、ゴム等で被服されたものが望ましい。
【００１６】
図２において、輪状基体１は、従来使われている吊り下げピンチを用いた洗濯物干し具と同程度の大きさの円形の輪状体であり、外周側面８の適所に、係止具１０としてのフックを設けている。このフックは、図２のように、外周側面8に固定した部分から上方向に外周側面8に沿って設置する。外周側面８との間隔は弾性紐２の太さより若干狭く、弾性紐２の弾性を利用して外周側面８との間に弾性紐２を挟む構造とする。
【００１７】
さらに、吊り具１１によって、物干し竿等に輪状基体１を水平に吊り下げる。吊り具１１としては、図２に例示したように、フックおよびワイヤ−が考えられる。その他にもワイヤーの代わりにチェーンや紐を用いることができるのは当然である。
【００１８】
図１は、適当な長さの弾性紐２に張力を付与し、その両端および両端部以外の適所を、順次係止具１０としてのフックに引っ掛けて固定したものである。両端部はストッパー３がフックに引っかかり、輪状基体１に固定される。
【００１９】
輪状基体１の外周側面８と弾性紐２との間に洗濯物２０を挟持するときには、その位置において弾性紐２を持ち上げて輪状基体１の外周側面８と弾性紐２との間に隙間を空け、洗濯物２０を差し込んで輪状基体１の外周側面８と弾性紐２の間に挟みこむ。図４は洗濯物２０を挟持した状態である。
洗濯物２０を外す時には、その洗濯物２０を手で下向きに引っ張れば、弾性紐２と輪状基体１の外周側面８の間から、容易に取り外すことができる。したがって、短時間に取り込むことができ、複数の洗濯物２０を同時に引っ張れば、容易に一度に取り外すことができる。
【００２０】
輪状基体１の形状については、図１のような円形の他にも、四角形などの形状が考えられるが、円形や四角形などを複数個組み合わせた形状としてもよい。なお、楕円形や、円弧に近い凹部がない曲線の形状でもよい。たとえばハート形のような形状でもよい。複数の曲線の部分から成る場合は、各部分に一本の弾性紐２を設ければよい。
【００２１】
特に図１のように、輪状基体１の形状が、たとえば円形のように、直線部分や凹部のないような形状の場合には、張力が付与された弾性紐２は常に外周側面８に押し付けられている。したがって、輪状基体１と弾性紐２の間に隙間が生ずることはなく、一度固定した洗濯物が抜けて外れるようなことは起こらないので、確実に洗濯物を固定することができる。
【００２２】
基体１の内部には、図５のように、必要に応じて補強部材４を設けてもよい。補強部材４としては、輪状基体１の形状によって、図５のようなシャフトを輪状基体１の内部側面９に設けてもよいし、円板状の部材を内部側面９の上部に沿って取り付けるなど、種々の例が考えられる。
【００２３】
輪状基体１への吊り具１１の取り付け方法については、前述のように、輪状基体１の側面上部を、フックとワイヤ−で吊り下げる方法の他にも、種々の方法が考えられる。図５に例示したのは、輪状基体１の内部に補強部材４としてのシャフトを設け、その中央部に吊り具１１としてのフックを設けたものである。
さらに、この吊り具１１としてのフックは、バネが装着されて物干し竿に固定できるクリップ式のものであれば、作業中の輪状基体１の揺れが少なくなるので作業の効率が上がり望ましい。
【００２４】
図６、図７、図８は、弾性紐２を輪状基体１の外周側面８に係止するための、他の手段を例示したものである。
図６は、係止具１０としてバンドを用いたものである。基体１の適所の上下の縁に一対の切り欠き６を設け、その切り欠き６にバンドを通し、弾性紐２を輪状基体１の外周側面８に張力を付与して巻き付け、前述のバンドで弾性紐２を輪状基体１の外周側面８に締め付けて固定したものである。弾性紐２の両端部においては、弾性紐２に設けたストッパー３がバンドに引っかかり、輪状基体１の外周側面８に固定される。
【００２５】
上記バンド１０としては、例えば、可撓性に富む合成樹脂からなる商品名インシュロックの市販品（タイトン株式会社製）が適している。
【００２６】
また、上記切り欠き6の代わりに、バンドが通る大きさの穴を用いてもよい。
【００２７】
弾性紐２の両端部の係止手段としては、図７のように、輪状基体１の適所に弾性紐２のストッパー３が通過する大きさの穴５を設け、その穴５の左右に、弾性紐２の幅の切り欠き６を設けることも考えられる。
弾性紐２の一方の端部のストッパー３を、輪状基体１の前述の穴５を通して、外部から内部に入れると共に切り欠き６に弾性紐２を通す。弾性紐２を張力を付与して伸ばし、輪状基体１の外周側面８に巻きつけると共に係止具１０に係止し、他方のストッパー３を前述の穴５に通して輪状基体１の内部に入れる。すると、図８のように切り欠き６にストッパー３が引っかかり、弾性紐２は輪状基体１の外周側面８に固定される。
【００２８】
さらに、他の弾性紐２の両端部の係止手段として、輪状基体１の適所に上方から切り欠
き６を設け、さらにそこから左右方向に切り欠き６を延長して、逆Ｔ字形の切り欠き６を設けることも考えられる。弾性紐２を輪状基体１の外周側面８に巻きつけ、この切り欠き６から両端のストッパー３を輪状基体１の内部に入れると、ストッパー３が切り欠き６に引っかかり抜けないので、弾性紐２の両端部は輪状基体１の外周側面８に固定される。
【００２９】
また、図８は弾性紐２の全体の係止具１０として、輪状基体１の側面に、１ヶ所につき２つの切り欠き部６を側面上部から垂直下方に設け、前記切り欠き部６の間の部分をフックとし、これを用いて弾性紐２を輪状基体１の外周側面８に係止したものである。切り欠き部６の幅は、弾性紐２に設けたストッパー３、またはストッパー３の代わりの結び目の幅より若干狭い程度とする。
係止するときは、図８のように、弾性紐２の一端のストッパー３を切り欠き部６から側
面内部に入れ、張力を付与した状態で順に切り欠き部６に通すことによって、弾性紐２を側面の内部と外部に交互に係止する。
【００３０】
この例の他の弾性紐２の両端部の係止手段としては、弾性紐２の両端をバンドで締め付けて固定してもよいし、弾性紐２の端部に輪を設けて、輪状基体１の適所に設けた小突起に弾性紐２の端部の輪を引っ掛けてもよい。
【００３１】
さらに、弾性紐２の係止具１０としては、輪状基体１の外周側面8に固定したリングとし、弾性紐２を順にリングに通し、両端部を固定してもよく、その他種々の方法から選定することができる。
【００３２】
図９は、本考案の第２の実施の形態を示すものであり、弾性紐２の張力を調整できるようにしたものである。調整の方法としては、例えば図９のように、弾性紐２の一端を固定するフックを、輪状基体１の外周側面８に複数個設け、フックの選択に応じて張力を変えることができる構造が考えられる。また、弾性紐２の一端のストッパー３を複数個設けてもよく、さらにはストッパー３を着脱可能な構造として、ストッパー３の位置を移動させることによって調整できるようにしてもよく、種々の方法が考えられる。
【００３３】
図１０、図１１は、本考案の第３の実施の形態を示すものであり、洗濯物２０を弾性紐２と輪状基体１の外周側面８の間に挟むときに、弾性紐２に指を引っ掛けやすくしたものである。
図１０は、弾性紐２の全体に適当な間隔でコブ部１２を設けたものである。このようにすると、弾性紐２が指に引っ掛かりやすくなり、簡単にコブ部１２と外周側面８の間に洗濯物２０を挟むことができ、作業能率が向上する。なお、このコブ部１２は弾性紐２に形成してもよいが、結び目を設けてもよいし、ビーズ状の珠を弾性紐２に通してもよい。
【００３４】
また、図１１のように、輪状基体１の外周側面８に適当な間隔で凹凸を設け、弾性紐２をこの凹凸の上を通るように輪状基体１の外周側面８に係止すれば、弾性紐２は凹凸の凹部２１において輪状基体１の外周側面８から持ち上げられて隙間ができる。洗濯物２０を干すときは、この隙間に指をかけて弾性紐２を持ち上げて、凹凸の凸部２２と弾性紐２の間に洗濯物２０を容易に挟むことができ、作業能率が向上する。
【００３５】
図１２は、本考案の第４の実施の形態を示すものであり、輪状基体１の複数の部分に弾性紐２を係止したものである。図１２に例示したものは、輪状基体１は複数の円形状の部分から成るものとし、これらを同心円状に並べたものであり、各部分の外周側面８に弾性紐２を巻き付けて係止したものである。各部分の配列方法は同心円状以外にも種々の例が考えられるが、配列を工夫すればコンパクトな干し具に多くの洗濯物を干すことができる。
【図面の簡単な説明】
【００３６】
【図１】本考案の洗濯物干し具を示す斜視図である。
【図２】本考案の洗濯物干し具の基体を示す斜視図である。
【図３】本考案の洗濯物干し具に使用する弾性紐を示す斜視図である。
【図４】本考案の洗濯物干し具の使用状態を示す斜視図である。
【図５】本考案の洗濯物干し具の他の例を示す斜視図である。
【図６】本考案の洗濯物干し具における弾性紐の別の係止の手段を示す斜視図である。
【図７】本考案の洗濯物干し具における弾性紐の別の係止の手段を示す斜視図である。
【図８】本考案の洗濯物干し具における弾性紐の別の係止の手段を示す斜視図である。
【図９】本考案の洗濯物干し具における弾性紐の張力を調整できる例を示す斜視図である。
【図１０】本考案の洗濯物干し具において弾性紐にコブ部を設けた例を示す斜視図である。
【図１１】本考案の洗濯物干し具において外部側面に突起を設けた例を示す斜視図である。
【図１２】本考案の洗濯物干し具において複数の弾性紐を設けた例を示す斜視図である。
【符号の説明】
【００３７】
１    輪状基体
２    弾性紐
３    ストッパー
４    補強部材
５    穴
６    切り欠き
８    外周側面
９    内部側面
１０  係止具
１１  吊り具
１２  コブ部
２０  洗濯物
２１  凹部
２２  凸部
【図１】
0003122100.tif 000003
【図２】
0003122100.tif 000004
【図３】
0003122100.tif 000005
【図４】
0003122100.tif 000006
【図５】
0003122100.tif 000007
【図６】
0003122100.tif 000008
【図７】
0003122100.tif 000009
【図８】
0003122100.tif 000010
【図９】
0003122100.tif 000011
【図１０】
0003122100.tif 000012
【図１１】
0003122100.tif 000013
【図１２】
0003122100.tif 000014